(57)【特許請求の範囲】
【請求項１】
引戸内に制動シリンダを垂直姿勢で設け、該制動シリンダに制動ワイヤを移動可能に挿通し、該制動ワイヤの下端に重りを係着すると共に上端に係合金具を係着し、上枠部側の戸先側に閉方向制動フック、戸尻側に開方向制動フックをそれぞれ設け、引戸の全閉直前に係合金具が閉方向制動フックに係合し、又前記係合金具が引戸の全開直前に前記開方向制動フックに係合可能とし、前記係合金具が係合した後、前記引戸の移動と共に前記係合金具は前記引戸に対して相対移動し、前記制動ワイヤを介して重りが引上げられ、前記制動ワイヤの移動により前記制動シリンダのロッドが移動され、前記引戸が制動される様構成したことを特徴とする自動閉鎖式上吊り引戸の制動装置。
【発明の詳細な説明】
【０００１】
【発明の属する技術分野】
本発明は、自動閉鎖式上吊り引戸の制動装置に関するものである。
【０００２】
【従来の技術】
自動閉鎖式上吊り引戸では閉鎖時の衝撃、騒音の発生を防止する為、全閉直前の引戸のスピードを落す制動装置が用いられているものがある。
【０００３】
従来の自動閉鎖式上吊り引戸の制動装置を図４〜図６に於いて説明する。
【０００４】
上枠部１内にはレール２が設けられ、該レール２には吊車３を介して引戸４が懸架されており、該引戸４には開閉駆動装置（図示せず）が連結されている。又、前記上枠部１内には全閉直前の引戸４の閉鎖スピードを落とす為の閉鎖制動装置５、全開時の引戸４の跳返りを防止する為のストップ装置６が設けられている。
【０００５】
前記閉鎖制動装置５を説明する。
【０００６】
上枠フレーム７に支持具８を介してエアシリンダ９が前記レール２と平行に設けられ、該エアシリンダ９のロッド１０は戸尻側に突出している。前記引戸４の戸尻側の吊車３はブラケット１１を介して前記引戸４に設けられており、該ブラケット１１に前記エアシリンダ９に対向するロッド受け１２が設けられている。
【０００７】
引戸４の全閉直前に前記ロッド受け１２がロッド１０に当接し、引戸４の動きと共にロッド１０を押込む。前記エアシリンダ９はロッド１０の押込み速度に比例した抵抗を発し、引戸４の速度を低減し、閉鎖時の衝撃、騒音を防止する。
【０００８】
次に、ストップ装置６を説明する。
【０００９】
前記レール２の戸尻側端部にはストップ装置６が設けられている。
【００１０】
レール２の端部にストッパ受け１３が固着され、該ストッパ受け１３に前記ブラケット１１に当接するストップゴム１４が設けられ、又ストッパ受け１３の上端にはローラ１５が回転自在に設けられている。前記ブラケット１１より戸尻側に向かって板バネ１６が延出し、該板バネ１６は前記ローラ１５に引戸４の全開状態で係合可能となっている。
【００１１】
引戸４の全開時には前記ブラケット１１がストップゴム１４に当接して衝撃を緩衝すると共に前記板バネ１６がローラ１５に係合して跳返りを防止する。
【００１２】
【発明が解決しようとする課題】
上記した従来の制動装置では引戸４の全閉直前のみの制動であり、全開直前の制動は行われてなく、前記ストップゴム１４による衝撃の緩衝のみである。従って、板バネ１６とローラ１５との係合力だけでは引戸４の跳返りを保持しきれず引戸４が跳返ってしまう。又、引戸４の跳返りを充分に抑止するだけの係合力とすると、引戸４を閉じる場合にローラ１５と板バネ１６との離脱に大きな力が必要であるという問題があった。
【００１３】
本発明は斯かる実情に鑑み、引戸の開方向、閉方向のいずれにも制動が作用する自動閉鎖式上吊り引戸の制動装置を提供しようとするものである。
【００１４】
【課題を解決するための手段】
本発明は、引戸内に制動シリンダを設け、該制動シリンダに制動ワイヤを係着し、引戸の全閉、全開直前に前記制動ワイヤが制動シリンダのロッドを移動させる様構成したことを特徴とするものであり、又引戸内に制動シリンダを垂直姿勢で設け、該制動シリンダに制動ワイヤを移動可能に挿通し、該制動ワイヤの下端に重りを係着すると共に上端に係合金具を係着し、上枠部側の戸先側に閉方向制動フック、戸尻側に開方向制動フックそをそれぞれ設け、引戸の全閉直前に係合金具が閉方向制動フックに係合し、又前記係合金具が引戸の全開直前に前記開方向制動フックに係合可能としたことを特徴とするものである。
【００１５】
而して、引戸の全閉、全開の両方向で制動力が作用し、全閉時、全開時の衝撃騒音を抑止する。
【００１６】
【発明の実施の形態】
以下、図面を参照しつつ本発明の実施の形態を説明する。
【００１７】
図１〜図３に於いて、図１は引戸４の中間部移動状態を示し、図２は全閉時、図３は全開時をそれぞれ示している。
【００１８】
引戸４の内部、戸尻側に制動シリンダ２０を鉛直方向に配設し、該制動シリンダ２０のロッド２１は下方に向かって伸縮可能とする。該ロッド２１は中空であり、制動ワイヤ２２をロッド２１及び制動シリンダ２０本体に挿通させる。制動ワイヤ２２の上端に係合金具２３を係着する。又、前記制動ワイヤ２２は前記ロッド２１より更に下方に垂下しており、制動ワイヤ２２の下端に重り２４を係着する。前記上枠部１の戸先側に閉方向制動フック２５を設け、上枠部１の戸尻側に開方向制動フック２６を設ける。
【００１９】
前記係合金具２３は全閉直前に前記閉方向制動フック２５に当接し、又全開直前に係合金具２３が開方向制動フック２６に当接する様になっており、前記係合金具２３が前記閉方向制動フック２５に当接して引戸４が全閉迄に移動する距離と前記係合金具２３が開方向制動フック２６に当接して全開する迄に移動する距離とは等しく、その移動距離をＡとすると、前記重り２４が前記ロッド２１に当接し、更に該ロッド２１を制動シリンダ２０に押込む距離Ａとは等しくしてある。
【００２０】
而して、引戸４の全閉直前に係合金具２３が前記閉方向制動フック２５に当接し、引戸４の移動と共に係合金具２３は引戸４に対して相対移動し、重り２４が引上げられ、前記重り２４がロッド２１に当接し、ロッド２１を押込むことで引戸４が制動される。
【００２１】
同様に全開直前に引戸４の係合金具２３が前記開方向制動フック２６に当接し、引戸４の移動と共に係合金具２３は引戸４に対して相対移動し、重り２４が引上げられ、前記重り２４がロッド２１に当接し、ロッド２１を押込むことで引戸４が制動される。
【００２２】
又、前記引戸４の中間移動時にはロッド２１が下方に突出すると共に前記重り２４により前記制動ワイヤ２２が引下げられ、前記係合金具２３は制動シリンダ２０の上端、即ち中立位置に位置する。
【００２３】
而して、引戸４の両方向で制動が作用する。
【００２４】
尚、前記制動ワイヤ２２は上枠部１側に係着することでも実施可能である。
【００２５】
引戸４の全閉、全開に伴う前記制動シリンダ２０の移動量の中間位置に前記制動ワイヤ２２の上端を係着し、又ロッド２１より垂下した制動ワイヤ２２の長さと前記ロッド２１のストロークを足した長さは、前記制動シリンダ２０の移動量の半分に等しいか、若干大きくしてある。斯かる如く構成することで引戸４の全閉、全開の直前に重り２４がロッド２１に当接し、引戸４の移動と共にロッド２１が押込まれ、制動力が作用する。
【００２６】
尚、引戸４内にガイドプーリを適宜設け、制動ワイヤ２２を掛回すことで制動シリンダ２０は水平或は斜め等所望の姿勢とすることができる。又、制動シリンダ２０はロッド２１の押込み方向に制動力が作用する様にしたが、ロッド２１の引出し方向に制動力が作用する様にしてもよい。更に、制動シリンダ２０は戸尻側でなく引戸４の中央或は戸先側に設けてもよい。
【００２７】
【発明の効果】
以上述べた如く本発明によれば、自動閉鎖式上吊り引戸に於いて全閉方向、全開方向で制動を行うことができ、安全性が向上すると共に衝撃、騒音が抑制され、又全開時の跳返りを防止することができる。
【図面の簡単な説明】
【図１】本発明の実施の形態を示す説明図である。
【図２】同前実施の形態の作動説明図である。
【図３】同前実施の形態の作動説明図である。
【図４】自動閉鎖式上吊り引戸の全体説明図である。
【図５】従来例の要部説明図である。
【図６】図５のＡ−Ａ矢視図である。
【符号の説明】
１          上枠部
４          引戸
２２        制動ワイヤ
２３        係合金具
２４        重り
２５        閉方向制動フック
２６        開方向制動フック
【図１】
0003552833.tif 000002
【図２】
0003552833.tif 000003
【図３】
0003552833.tif 000004
【図４】
0003552833.tif 000005
【図５】
0003552833.tif 000006
【図６】
0003552833.tif 000007